(57)【要約】【課題】筐体内に設置したヒートポンプにより衣類の乾燥をおこない、乾燥動作をおこなっていない任意の時間には、本体前面から外方へ冷風あるいは暖風を吹き出す送風機能を備えるとともに、機外への送風口を送風運転時以外は閉じて異物が進入し難いようにした洗濯乾燥機を提供する。【解決手段】筐体２内の水槽６の内部に回転可能に支承したドラム９によって衣類を洗濯〜乾燥し、乾燥動作時には、前記筐体内に配設したヒートポンプ12および送風機16の運転によって熱交換器13からの加熱空気を前記ドラム内に導入して洗濯物を乾燥させる一方、所定条件における任意のときに循環風路19を切り替えて前記ヒートポンプを駆動させ、筐体前面に開口した送風口23から送風ファン22による風を外方に吹き出すように構成するとともに、送風口にはルーバー21を有し、この蓋体21ｃ部分により送風運転時には送風口を開口させ、送風終了時には閉じるようにしたことを特徴とする。【選択図】図２
2008000231.tif 000002
【特許請求の範囲】
【請求項１】
筐体内の水槽の内部に回転可能に支承したドラムによって衣類を洗濯〜乾燥し、乾燥動作時には、前記筐体内に配設したヒートポンプおよび送風機の運転によって熱交換器からの加熱空気を前記ドラム内に導入して洗濯物を乾燥させる一方、所定条件における任意のときに循環風路を切り替えて前記ヒートポンプを駆動させ、筐体前面に開口した送風口から送風ファンによる風を外方に吹き出すように構成するとともに、送風口には蓋体を有し、これを送風運転時に開口させ、送風終了時には閉じるようにしたことを特徴とする洗濯乾燥機。
【請求項２】
送風ファンは、ヒートポンプの熱交換器と送風口との間に配設し、その上部はファンケーシング内への異物の進入を阻止する阻止体で覆ったことを特徴とする請求項１記載の洗濯乾燥機。
【発明の詳細な説明】
【技術分野】
【０００１】
本発明は、ドラム内の衣類をヒートポンプで乾燥するとともに機外への送風によって空調をおこなうようにした洗濯乾燥機に関する。
【背景技術】
【０００２】
近年、洗濯乾燥機は、図６に概略構成を示すように、回転槽を横軸型のドラム（59）とし、開口を筐体（52）の前面側に設けて洗濯物の投入口（54）とした、いわゆるドラム式洗濯乾燥機（51）が商品化され普及しつつある。この種ドラム式洗濯乾燥機における洗濯用の水槽（56）は横向き円筒状をなし、外郭を形成する筐体（52）の内部に、水平に対して前方が高くなるように支持装置（61）を介して弾性的に支持されており、この水槽（56）の内部には、水槽（６）との間に間隙を形成してドラム（59）を回転可能に設け、ドラム（59）は水槽（56）の後面に取り付けられたＤＣブラシレスモータ（60）により直接回転駆動される。
【０００３】
前記筐体（52）の前面側に設けた洗濯物を出し入れするための投入口（54）には、投入口（54）を開閉するドア（55）が配設されており、洗濯、脱水時にはドア（55）をロックして水槽（56）内の洗濯水が隙間などから外部にあふれ出ないよう密閉された構造とし、洗濯物の乾燥に際しては、別途、前記水槽（56）の上方に配置した乾燥ヒーター（63）およびファン（67）からなる乾燥ユニット（62）で生成される加熱空気を前記ドラム（59）内に導入して衣類などを乾燥させたり、また最近では、ヒートポンプによる凝縮熱を利用した衣類乾燥装置を設けた技術が発明されている。
【０００４】
さらに、図７に示すように、横軸型の回転槽（79）による衣類乾燥装置（71）に関し、衣類乾燥に加えてヒートポンプ（冷凍サイクル）（82）により空調をおこなうものが提案されている（例えば、特許文献１参照）。これはヒートポンプ（82）における冷媒を凝縮する加熱用フィン（83）から排出された加熱空気を回転ドラム状の乾燥室（79）に導入し衣類を乾燥させる動作と、この衣類乾燥のための空気循環路（88）（89）を遮断するとともに、ファン（87）によって装置外部から外気を導入し、冷却除湿フィン（86）で冷却して装置外へ排出する動作に切り換えて冷房したり暖房するなど空気調和をおこなうものである。
【特許文献１】特許第３３３０７８９号公報
【発明の開示】
【発明が解決しようとする課題】
【０００５】
しかしながら、前記ヒーターやファンからなる乾燥ユニットを使用する方式は、乾燥時間短縮のためにはヒーター容量を大きくする必要があることから消費電力量が増大する難点がある。また、前記特許文献１に示されている構成は、衣類乾燥装置であって洗濯乾燥機としての構成とは相違することから、洗いやすすぎ、あるいは脱水から乾燥に至る制御構成を具備しておらず、当然これら洗濯乾燥運転と機外への送風運転との関連についても考慮されているものではなかった。
【０００６】
さらに、冷媒圧縮のための重量のあるコンプレッサ（84）や冷却除湿用フィン（86）、加熱用フィン（83）などからなるヒートポンプ（82）は、全体の構成上、装置本体（71）の下方部に配設しており、必然的に装置外への吹き出し部である前面ダンパ（91）は、装置本体の下方部分に位置することになる。したがって、空気調和動作をおこなった際には、冷気あるいは暖気は装置本体の下部周辺に放出されることになるとともに、送風のための前記ダンパの送風口は外方に、かつ上方に向けて開口しているために、洗濯の際に衣類から離脱したボタンやコイン、付着していたヘアピンなどの異物が落下すると、前記開口に入りやすく、入り込んでしまうと取り出すことが困難であるばかりか、通常送風口の近傍に配置される送風ファンに不具合をきたす恐れがある。
【０００７】
本発明は上記の点を考慮してなされたものであり、筐体内に設置したヒートポンプにより衣類の乾燥をおこない、乾燥動作をおこなっていない任意の時間には、本体前面から外方へ冷風あるいは暖風を吹き出す送風機能を備えるとともに、機外への送風口を送風運転時以外は閉じて異物が進入し難いようにした洗濯乾燥機を提供することを目的とする。
【課題を解決するための手段】
【０００８】
上記課題を解決するために、本発明における洗濯乾燥機は、筐体内の水槽の内部に回転可能に支承したドラムによって衣類を洗濯〜乾燥し、乾燥動作時には、前記筐体内に配設したヒートポンプおよび送風機の運転によって熱交換器からの加熱空気を前記ドラム内に導入して洗濯物を乾燥させる一方、所定条件における任意のときに循環風路を切り替えて前記ヒートポンプを駆動させ、筐体前面に開口した送風口から送風ファンによる風を外方に吹き出すように構成するとともに、送風口にはルーバーを有し、この蓋体部分により送風運転時には送風口を開口させ、送風終了時には閉じるようにしたことを特徴とするものである。
【発明の効果】
【０００９】
本発明の洗濯乾燥機によれば、ヒートポンプによる温風吹き出し、および除湿機能で洗濯物の乾燥動作を効果的におこなうことができ、所定条件における任意のときには、前記ヒートポンプを利用した風を外方向に吹き出し、周辺空間をより快適な雰囲気にすることができるとともに、送風口から異物が内部に入り込みにくくして送風ファンなどの不具合の発生を防ぐことができる。
【発明を実施するための最良の形態】
【００１０】
以下図面に基づき本発明の１実施形態について説明する。図１に外観斜視図、図２に縦断面図を示すドラム式洗濯乾燥機（１）は、外郭を形成する筐体（２）の上部前面側に、洗濯コースなどを選択設定するための操作パネル（３）を配置するとともに、前面の中央部分には洗濯物を出し入れするための円形の投入口（４）を開口させ、前記投入口（４）を開閉自在に閉塞する透明窓を形成したドア（５）を配置している。
【００１１】
筐体（２）の内部には水槽（６）を配置している。水槽（６）は、背面を閉塞した横向き円筒状をなし、その前面部の開口周縁には環状の水槽カバー（６ａ）を取り付けるとともに、その底部の左右に設けた一対の支持装置（７）によって筐体（２）内に弾性的に支持されており、背面側の下方には排水弁を介して水槽（６）内の洗濯水を機外に導出する排水ホース（８）を接続している。
【００１２】
水槽（６）の内部には、横軸周りに回転可能とした有底円筒状のドラム（９）を配設している。ドラム（９）は、水槽（６）に沿い前方に向かって若干上方への傾斜状態に支承されており、胴部周壁に多数の脱水孔（９ａ）と、その内周面には洗濯物掻き上げ用のバッフル（９ｂ）を複数有している。また前面開口側には環状のドラムカバー（９ｃ）を取り付けて、前記水槽カバー（６ａ）とともに投入口（４）に対向して配置させており、洗い行程および脱水行程における共用槽として機能するものである。
【００１３】
前記ドラム（９）の閉塞された背面は、水槽（６）の前記閉塞された背面部に軸支され、洗いおよび脱水行程に応じた回転速度に制御されるモーター（10）により回転する。このモーター（10）は、例えば、アウターロータ形であって、内側のステータを水槽（６）側に固定し、外側のロータに直結した回転軸（10ａ）を水槽（６）の後壁を水密に貫通させるとともにドラム（９）背面部の中心に連結させている。
【００１４】
前記投入口（４）の開口周縁と水槽（６）の前面開口部における水槽カバー（６ａ）との間隙には、耐薬品性に優れた軟質樹脂材からなるベローズ（11）を取り付け、水が水槽（６）から機外に漏れ出ないようにするとともに、その一部を延出して閉鎖状態にある前記ドア（５）裏面側に当接させ、投入口（４）から機外への水漏れを防止し、さらに蛇腹部を設けて水槽（６）やドラム（９）の回転振動がドア（５）側に伝達することを防いでいる。
【００１５】
上記構成のドラム式洗濯乾燥機（１）は、洗い、すすぎ、脱水の各機能行程を選択設定して自動的に実行するものであり、前記投入口（４）より洗濯物をドラム（９）内に投入してドア（５）を閉じた後、洗いおよびすすぎ行程では、洗濯水を水槽（６）内に供給した状態でドラム（９）を低速回転させ、洗濯物をバッフル（９ｂ）で掻き上げては落下させる撹拌運動により洗濯を実行し、脱水行程では排水弁を開いてすすぎ行程後の洗濯水を排水ホース（８）から機外に排出し、その後ドラム（９）を一方向に高速回転させて胴部周壁に設けた多数の脱水孔（９ａ）から遠心脱水する。
【００１６】
そして、前記筐体（２）下部の幅方向のほぼ中央部には、前後方向に亙ってヒートポンプユニット（12）を設置し、洗濯行程が終了した後の乾燥動作の際に、ドラム（９）を様々に回転させつつこれを駆動し、ヒートポンプにより凝縮器（13）で生成される熱を洗濯物の乾燥に使用している。
【００１７】
すなわち、前記ヒートポンプユニット（12）は、筐体（２）の底面一側部に冷媒を圧縮し吐出する圧縮機（14）を配置するとともに、圧縮機（14）から吐出された高温高圧の冷媒ガスを放熱して凝縮する前記凝縮器（13）、高圧冷媒を減圧する膨張弁や毛細管などの減圧装置および減圧された冷媒を蒸発させて吸熱する蒸発器（15）を環状に配管接続して構成されており、洗濯乾燥運転の乾燥行程時にヒートポンプユニット（12）を駆動したときには、同時に前記凝縮器（13）の背面側に配置した乾燥用送風機（16）を回転させるように制御する。
【００１８】
前記ヒートポンプユニット（12）や送風機（16）は、筐体（２）に対してドラム（９）や水槽（６）が前方上部に向かって傾斜状態に配置されていることから、水槽（６）と本体底面との間に形成される空間を利用して設置しており、ヒートポンプ専用の大きなスペースを必要とすることなくコンパクトに配設することができる。
【００１９】
乾燥用送風機（16）は、高温となる凝縮器（13）により、約７０℃まで加熱された乾燥空気を、前記乾燥用送風機（16）の下流側とドラム（９）の背面側部分とを連通しているドラム入口ダクト（18）を介して前記モーター（10）の周辺部分からドラム（９）内に吹き込み、洗濯物と接触させることでこれを乾燥させる。さらに洗濯物との接触で加湿状態になっている空気をドラム（９）内から投入口（４）および周側の脱水孔（９ａ）を介して外方に流出させ、ドラム出口ダクト（19）から低温の蒸発器（15）部を通過させることで空気中の水分を除去し、次いで高温の凝縮器（13）に戻すことで再び加熱された乾燥空気として循環させるものである。
【００２０】
しかして、洗濯機本体（１）の前面側の下部に配置した前記蒸発器（15）に対向し、かつ本体の前面下部を覆うように配置した下部カバー（20）には、吹き出し部として横幅寸法を広く形成したルーバー（21）および送風ファン（22）を設けている。前記送風ファン（22）は、後方に位置する蒸発器（15）からの冷気を斜め上方の送風口（23）部分に送流するものであり、前記ルーバー（21）の幅寸法に合わせた所定長さの回転軸周囲に多数の羽根を設けた横流ファンで構成されている。
【００２１】
前記送風口（23）は、前記蒸発器（15）に連通するドラム出口ダクト（19）の途中から前方に分岐させた位置に配設させたものであり、外面開口部に設けたルーバー（21）を上下に回動させることで、前記送風口（23）を開閉するとともに外方向への空気の吹き出しを可能にしている。
【００２２】
前記ドラム出口ダクト（19）の分岐部分には切替ダンパー（24）を配設しており、洗濯運転後の乾燥行程時には、この切替ダンパー（24）を実線の位置にして前記ルーバー（21）側を閉塞するとともに、ドラム出口ダクト（19）から蒸発器（15）側の送風路を開放してドラム（９）内を図２中の矢印のように循環する温風の流れを阻害しないようにしている。
【００２３】
また、送風機能の一例である冷風吹き出し機能として前記ルーバー（21）と送風ファン（22）を駆動した際には、送風口（23）部分の拡大図である図３のごとく、切替ダンパー（24）を回動させ、前記ドラム出口ダクト（19）側を閉塞して、駆動させたヒートポンプ（12）により冷却されている蒸発器（15）からの低温空気を矢印で示すように、送風口（23）から筐体の外方、すなわち前方の外気中に吹き出すようしている。
【００２４】
前記ルーバー（21）は、幅広の角筒状に形成するとともに筒内の幅方向に亙って多数のフィン（21ａ）を所定間隔で列状に並べて幅方向に回動可能に連結し、筒体の両端部に設けた枢軸（21ｂ）を送風口（23）の側壁に係合してルーバー（21）本体を上下方向に回動可能に支承したものであり、前記送風口（23）の一方の外側に固着され、一端側の枢軸に係合させた図示しないステッピングモータへの通電により、枢軸（21ｂ）を介して筒体を所定角度に回動させることで前記送風口（23）を開閉するものであり、送風口（23）を開放した際には、蒸発器（15）からの冷気を外方の所望角度の上方に向けて吹き出すように制御する。
【００２５】
そして、送風運転をおこなうべく、送風口（23）を開放する際には、ルーバー（21）を回動して送風口（23）の前方に突出させ、前記フィン（21ａ）を、図示しない駆動源によって幅方向に揺動させながら、あるいは手動で向きを変更して、蒸発器（15）からの冷気を筐体外部の所望角度の斜め上方部に向けて吹き出すようにするものであり、閉塞時には、図２の実線で示すごとく、ルーバー（21）の前壁（21ｃ）が蓋体として送風口（23）を覆うとともに、その上部に延設された上縁が送風口（23）の前面上部に当接するため、ルーバー（21）は本体前面から突出することなく内部に収納されることになる。
【００２６】
したがって、洗濯乾燥機（１）を洗濯〜乾燥運転している場合は、前記ルーバー（21）は洗濯乾燥機（１）の本体前面から突出することなく閉塞しており、送風口（23）も開口していないため、洗濯時に衣類からとれたボタンやポケットからのコイン、ヘアピンなどの異物が落下しても送風口（23）内に入ることを防ぐことができ、入り込んだ異物が送風ファンに至ってこれを不具合を生じるようなことを未然に防止することができる。
【００２７】
（27）は、阻止体としての金網であり、図４に示すように、送風ファン（22）を収納しているファンケーシング（26）の送風口（23）側の上面開口を閉塞するように設置しており、周縁部に設けた数カ所の切り込み（27ａ）をファンケーシング（26）の上面開口部に嵌入係合させて取り付けている。この金網（27）は、ボタンなどの異物が前記送風口（23）内に入り込んだ場合は、これを受けて送風ファン（22）側へ進入させないようにするものであり、その網目は、ボタンなどを透過させずに受け止めるとともに風の流れを阻害しない、比較的粗いメッシュとしている。
【００２８】
そして、万一異物が送風口（23）に入り込み、金網（27）上で止まった場合は、本体に対して凹凸係合やねじにより着脱可能に固定されている前記下部カバー（20）を取り外すことで金網（27）もルーバー（21）とともに本体から外すことができ、取り外した状態で異物を取り除けばよく、また同時に埃なども除去することができる。
【００２９】
なお、前記実施例では、金網（27）として説明したが、金網に限らず、ボタンやコイン、ヘアピンなどの異物が容易にファンケーシング（26）内に入り込むことを阻止する構成であればよく、その異物侵入阻止体の配設によって送風ファン（22）に不具合が生じることを防ぐことができる。
【００３０】
また、切替ダンパー（24）がドラム出口ダクト（19）を閉塞した状態で送風ファン（22）を駆動すると、蒸発器（15）から送風口（23）への風路は負圧になるが、蒸発器（15）と凝縮器（13）間の風路壁には吸気口（29）を穿設しており、送風時には、この吸気口（29）の存在によって、吸引された外気がスムーズに蒸発器（15）を通過して除湿冷却され、冷気として送風口（23）から吹き出すことができる。
【００３１】
このとき、前記ルーバー（21）の一部と送風口（23）側には、図示しない引張りコイルばねをその両端を係止して配設しており、ルーバー（21）は常時送風口（23）を閉塞する方向に付勢されている。そして、ルーバー（21）の回動動作は、送風口（23）を開放させる方向については前記ステッピングモーターによりおこない、閉塞方向へは前記コイルばねの収縮力で回動させるようにしている。この構成により、ルーバー（21）が送風口（23）を閉塞するときには、コイルばねの比較的弱い弾性力で戻ることになり過大な力が掛からないため、使用者が送風口（23）に指などを挟むような不具合を未然に阻止できる。
【００３２】
なお、図３中（28）は、ドラム（９）から蒸発器（15）に至る送風路に設けた糸くずや空気中の異物を除去するリントフィルターであり、ドラム（９）内の衣類から発生する糸屑などの異物が蒸発器（15）および凝縮器（13）から乾燥用送風機（16）に侵入して付着することを防ぐとともに、摘み部（28ａ）を引き出すことにより清掃が可能となっているものであり、このリントフィルター（28）部分も前記下部カバー（20）を取り外した際に、金網（27）などとともに本体から取り外すことができる。る。
【００３３】
図５は、前記操作パネル（３）の詳細配置構成であって、表面に使用者が洗濯乾燥機（１）の運転のために操作する各種の操作キーや表示部を設けている。具体的には、前記操作キーとして、洗い、すすぎ、脱水をおこなう洗濯運転やこれら洗濯運転と乾燥動作を連続しておこなう洗濯乾燥運転、あるいは乾燥動作のみをおこなう乾燥運転などを、押圧により選択し設定するための洗濯運転モードキー（32）、洗いやすすぎ、脱水、乾燥の個々の行程を押圧により選択してそれぞれの時間や回数を指示設定するための行程選択キー（33）、また、タイマー予約時刻を選択するための予約キー（34）や洗濯乾燥機（１）の電源をオンオフする電源キー（35）、さらには、洗濯運転をスタートしたり一時停止するための円形に大きく設けたスタート・一時停止キー（36）などが配置され、これらのキーは押釦スイッチにより、押圧した回数だけ操作信号が出力されるように構成されている。
【００３４】
さらに、前記スタート・一時停止キー（36）の外周には、環状の操作ダイヤル（37）を所定角度ずつ回転して節動感が得られるように回転可能に配設している。この操作ダイヤル（37）は、回転式可変抵抗器やロータリーエンコーダなどからなる回転スイッチの回転軸に取り付けられており、操作ダイヤル（37）を回転操作することで回転方向や角度に応じた操作信号が出力されるように構成されている。
【００３５】
前記洗濯運転モードキー（32）は、選択されているキー表面の表示部（32ａ）をその裏面に設けた赤色の発光ダイオード（ＬＥＤ）により点灯して運転モードを明示するようにしている。また、液晶表示パネル（38）には、前記洗濯運転モードで選択されている洗濯や乾燥のコース内容を表示するコース表示部（39）を設けており、操作ダイヤル（37）を回転させることによって、このコース表示部（39）の表示事項に対応して設けた液晶表示部（39ａ）を点灯表示することで選択するようにしているほか、隣接する表示部（40）に、現在時刻や予約時間、残り運転時間、あるいは洗い行程や脱水行程の設定時間やすすぎの回数を数値で選定表示するように構成している。
【００３６】
操作パネル（３）の裏面には、操作回路を備える制御ユニットが配設されており、操作パネル（３）の各種操作キーに基づく押圧操作信号と、操作ダイヤル（37）の操作に基づく回転操作信号とを、筐体（２）の前面下部に配設した駆動制御ユニット内の制御手段に出力する。
【００３７】
しかして、前記操作パネル（３）における洗濯モードキー（32）の下部には、送風キー（41）を同様に設ける。この送風キー（41）は、前述のように、ヒートポンプにより除湿した空気を機外に吹き出して空調運転をおこなわせるものであり、電源のオン中に送風キー（41）を押して送風の設定をしたときは、洗濯や乾燥など洗濯機の運転が停止中であれば送風運転を可能にしており、前記スタート・一時停止キー（36）外周の操作ダイヤル（37）を回動することで、送風する空気が冷風か温風かを液晶表示パネル（38）に表示させて選択し、同時に送風表示部（41ａ）を青色のＬＥＤで点灯表示するようにする。
【００３８】
設定によって空調運転モード、例えば、冷風吹き出しを選択してスタートキー（36）を押圧すると、ヒートポンプ（12）が運転を開始し、所定時間遅延して、図３のように、切替ダンパー（24）がドラム出口ダクト（19）を閉塞するとともにルーバー（21）が回動して送風口（23）を開口し、さらに送風ファン（22）を回転させることで、低温となった蒸発器（15）からの冷気をルーバー（21）によって送風口（23）から外方に放出するものである。なお、洗濯機の洗濯〜乾燥運転が実行されている場合には、切替ダンパー（24）が送風口（23）側を閉塞するとともに、送風キー（41）を押されても送風ファン（22）を駆動させず、ルーバー（21）を閉じたままその前壁（21ｃ）で送風口（23）の開口を外方に突出しないように閉塞して待機する。
【００３９】
また、上記においては、低温空気を外部に吹き出す、いわゆる冷房機能構成についてのみ説明したが、ルーバー（21）からの放出空気は冷気のみに限らず、暖気放出により暖房作用をおこなうようにしてもよい。
【００４０】
その場合には、操作パネル（３）の表示や操作仕様として暖房機能キーなどを加えるとともに、ヒートポンプユニット（12）における絞り装置（15）を４方弁にして、冷媒が蒸発器（15）から凝縮器（13）に向かって流れる流路を設け、弁により冷媒流路を切り替えることで前記圧縮機（14）からの高温冷媒をまず蒸発器（15）に導入し、凝縮作用をおこなわせることによってこれを高温側熱交換器とすればよく、蒸発器（15）で加熱された暖気をルーバー（21）から外部、例えば、前部水平方向に向けて吹き出すことで冬期における足もと暖房として使用することができる。
【００４１】
そして、タイマー制御などで設定時間が経過すれば空調機能運転を終了するものであり、また、任意に送風を停止する場合には、前記スタートキー（36）を押すことでヒートポンプ（12）および送風ファン（22）の運転を停止するとともに、ルーバー（21）の角度、および切替ダンパー（24）を元に戻して送風口（23）を閉塞し、開口や前面への突出がないようにすることで、良好な外観を保持し、異物や埃の内部への侵入を阻止することができる。
【００４２】
そしてまた、前記実施例においては、送風口（23）の開閉をルーバー（21）の回動によっておこなう形態について説明したが、これに限らず、例えば、送風口（23）に対して、図示しないが上下方向に板状の蓋をスライドして開閉するような構成とし、洗濯乾燥機（１）を洗濯〜乾燥運転している場合は、前記スライド蓋により送風口（23）を閉塞することで、ボタンなどの異物が落下して開口している送風口（23）内に入ってしまうことを防ぐようにしてもよい。
【図面の簡単な説明】
【００４３】
【図１】本発明の１実施形態を示すドラム式洗濯乾燥機の概略斜視図である。
【図２】図１の概略縦断面図である。
【図３】図２の要部である外部への送風口部を示す拡大縦断面図である。
【図４】図３における金網を示す斜視図である。
【図５】図１における操作パネル部の拡大詳細図である。
【図６】従来のドラム式洗濯乾燥機構成を示す縦断面図である。
【図７】他の従来構成を示す衣類乾燥装置の縦断面図である。
【符号の説明】
【００４４】
１  洗濯乾燥機
３  操作パネル
６  水槽
９  ドラム
12  ヒートポンプユニット
13  凝縮器
14  圧縮機
15  蒸発器
16  乾燥用送風機
18  ドラム入口ダクト
19  ドラム出口ダクト
20  下部カバー
21  ルーバー
22  送風ファン
23  送風口
24  切替ダンパー
26  ファンケーシング
27  金網
【図１】
2008000231.tif 000003
【図２】
2008000231.tif 000004
【図３】
2008000231.tif 000005
【図４】
2008000231.tif 000006
【図５】
2008000231.tif 000007
【図６】
2008000231.tif 000008
【図７】
2008000231.tif 000009